【手続補正書】
【提出日】平成21年4月15日(2009.4.15)
【手続補正１】
【補正対象書類名】特許請求の範囲
【補正対象項目名】全文
【補正方法】変更
【補正の内容】
【特許請求の範囲】
【請求項１】
複数の端末間の半二重通信を実現するＰｏＣサービスにおいて、前記複数の端末間の通信の中継を制御する通話管理装置であって、
前記半二重通信の発話権を占有する前記複数の端末のうちの一の端末から、前記発話権を開放するための第１要求と、前記発話権の開放を通知するための第２要求を受信する受信部と、
前記第１要求に基づいて、前記一の端末の前記発話権を前記一の端末以外の他の端末へ開放する管理部と、
前記第２要求に基づいて、前記他の端末に対し、前記発話権の開放を音声フレーズで通知するための音声データを送信する送信部と、
を備えたことを特徴とする通話管理装置。
【請求項２】
前記発話権を占有する前記一の端末は、前記第１要求とともに前記第２要求を送信するか否かを選択可能であり、
前記受信部が前記第２要求を受信したか否かを判別する受信判別部、を備え、
前記送信部は、前記受信部が前記第２要求を受信したものと前記受信判別部が判別した場合、前記他の端末に前記音声データを送信する、
ことを特徴とする請求項１に記載の通話管理装置。
【請求項３】
前記第２要求は、前記音声フレーズの種類を示す種別情報を含み、
複数種類の音声フレーズを示す複数の音声データを格納する記憶部と、
前記種別情報に応じて、前記記憶部から前記他の端末に送信するべき前記音声データを抽出する抽出部と、
を備えたことを特徴とする請求項１又は２に記載の通話管理装置。
【請求項４】
前記複数の音声データは、定型の音声フレーズを示すデータである、
ことを特徴とする請求項３に記載の通話管理装置。
【請求項５】
前記複数の音声データは、前記複数の端末の利用者が指定する音声フレーズを示すデータである、
ことを特徴とする請求項３に記載の通話管理装置。
【請求項６】
前記第２要求は、前記音声データを含み、
前記送信部は、前記他の端末に前記音声データを送信する、
ことを特徴とする請求項１又は２に記載の通話管理装置。
【請求項７】
複数の端末間の半二重通信を実現するＰｏＣサービスにおいて、前記複数の端末間の通信の中継を制御する通話管理装置と通信ネットワークを介して接続される端末であって、
前記半二重通信の発話権を開放するための第１要求を前記通話管理装置に送信する第１送信部と、
前記発話権の開放を通知するための第２要求を前記通話管理装置に送信する第２送信部と、
を備えたことを特徴とする端末。
【請求項８】
前記第２送信部が第２要求を送信するか否かを選択する選択部を備える、
ことを特徴とする請求項７に記載の端末。
【請求項９】
前記第２要求は、前記発話権の開放を通知するための音声フレーズの種類を示す種別情報又は前記音声フレーズを示す音声データを含む、
ことを特徴とする請求項７に記載の端末。
【請求項１０】
複数の端末間の半二重通信を実現するＰｏＣサービスにおいて、前記複数の端末間の通信の中継を制御する通話管理装置と通信ネットワークを介して接続される端末であって、
前記半二重通信の発話権を占有する他の端末から送信された前記発話権の開放を通知するための要求に基づいて、前記通話管理装置が送信した前記発話権の開放を音声フレーズで通知するための音声データを受信する受信部と、
前記受信部が受信した音声データを発声する発声部と、
を備えたことを特徴とする端末。
【請求項１１】
複数の端末と、前記複数の端末間の半二重通信を実現するＰｏＣサービスにおいて、前記複数の端末間の通信の中継を制御する通話管理サーバと、前記複数の端末と前記通話管理サーバとを接続する通信ネットワークと、からなる通話管理システムであって、
前記複数の端末それぞれは、前記半二重通信の発話権を占有する間は、前記発話権を開放するための第１要求と、前記発話権の開放を通知するための第２要求を送信可能であり、
前記通話管理サーバは、前記発話権を占有する前記複数の端末のうちの一の端末から前記第１要求及び前記第２要求を受信する受信部と、前記第１要求に基づいて、前記一の端末の前記発話権を前記一の端末以外の他の端末へ開放する管理部と、前記第２要求に基づいて、前記他の端末に対して前記発話権の開放を音声フレーズで通知するための音声データを送信する送信部と、を有する、
ことを特徴とする通話管理システム。
【請求項１２】
複数の端末間の半二重通信を実現するＰｏＣサービスにおいて、前記複数の端末間の通信の中継を制御する通話管理装置のコンピュータに、
前記半二重通信の発話権を占有する前記複数の端末のうちの一の端末から、前記発話権を開放するための第１要求と、前記発話権の開放を通知するための第２要求を受信する手順と、
前記第１要求に基づいて、前記一の端末の前記発話権を前記一の端末以外の他の端末へ開放する手順と、
前記第２要求に基づいて、前記他の端末に対し、前記発話権の開放を音声フレーズで通知するための音声データを送信する手順と、
を実行させるためのプログラム。
【請求項１３】
複数の端末間の半二重通信を実現するＰｏＣサービスにおいて、前記複数の端末間の通信の中継を制御する通話管理装置と通信ネットワークを介して接続される端末のコンピュータに、
前記半二重通信の発話権を開放するための第１要求を前記通話管理装置に送信する手順と、
前記発話権の開放を通知するための第２要求を前記通話管理装置に送信する手順と、
を実行させるためのプログラム。
【請求項１４】
複数の端末間の半二重通信を実現するＰｏＣサービスにおいて、前記複数の端末間の通信の中継を制御する通話管理装置と通信ネットワークを介して接続される端末のコンピュータに、
前記半二重通信の発話権を占有する他の端末から送信された前記発話権の開放を通知するための要求に基づいて、前記通話管理装置が送信した前記発話権の開放を音声フレーズで通知するための音声データを受信する手順と、
前記受信した音声データを発声する手順と、
を実行させるためのプログラム。
【手続補正２】
【補正対象書類名】明細書
【補正対象項目名】００１５
【補正方法】変更
【補正の内容】
【００１５】
上記目的を達成するために、本発明の第２の観点にかかる端末は、複数の端末間の半二重通信を実現するＰｏＣサービスにおいて、前記複数の端末間の通信の中継を制御する通話管理装置と通信ネットワークを介して接続される端末であって、前記半二重通信の発話権を開放するための第１要求を前記通話管理装置に送信する第１送信部と、前記発話権の開放を通知するための第２要求を前記通話管理装置に送信する第２送信部と、を備えたことを特徴とする。
また、前記第２送信部が第２要求を送信するか否かを選択する選択部を備える、ことができる。
また、前記第２要求は、前記発話権の開放を通知するための音声フレーズの種類を示す種別情報又は前記音声フレーズを示す音声データを含む、ことができる。
上記目的を達成するために、本発明の第３の観点にかかる端末は、複数の端末間の半二重通信を実現するＰｏＣサービスにおいて、前記複数の端末間の通信の中継を制御する通話管理装置と通信ネットワークを介して接続される端末であって、前記半二重通信の発話権を占有する他の端末から送信された前記発話権の開放を通知するための要求に基づいて、前記通話管理装置が送信した前記発話権の開放を音声フレーズで通知するための音声データを受信する受信部と、前記受信部が受信した音声データを発声する発声部と、を備えたことを特徴とする。
上記目的を達成するために、本発明の第４の観点にかかる通信管理システムは、複数の端末と、前記複数の端末間の半二重通信を実現するＰｏＣサービスにおいて、前記複数の端末間の通信の中継を制御する通話管理サーバと、前記複数の端末と前記通話管理サーバとを接続する通信ネットワークと、からなる通話管理システムであって、前記複数の端末それぞれは、前記半二重通信の発話権を占有する間は、前記発話権を開放するための第１要求と、前記発話権の開放を通知するための第２要求を送信可能であり、前記通話管理サーバは、前記発話権を占有する前記複数の端末のうちの一の端末から前記第１要求及び前記第２要求を受信する受信部と、前記第１要求に基づいて、前記一の端末の前記発話権を前記一の端末以外の他の端末へ開放する管理部と、前記第２要求に基づいて、前記他の端末に対して前記発話権の開放を音声フレーズで通知するための音声データを送信する送信部と、を有することを特徴とする。
【手続補正３】
【補正対象書類名】明細書
【補正対象項目名】００１６
【補正方法】変更
【補正の内容】
【００１６】
上記目的を達成するために、本発明の第５の観点にかかるプログラムは、複数の端末間の半二重通信を実現するＰｏＣサービスにおいて、前記複数の端末間の通信の中継を制御する通話管理装置のコンピュータに、前記半二重通信の発話権を占有する前記複数の端末のうちの一の端末から、前記発話権を開放するための第１要求と、前記発話権の開放を通知するための第２要求を受信する手順と、前記第１要求に基づいて、前記一の端末の前記発話権を前記一の端末以外の他の端末へ開放する手順と、前記第２要求に基づいて、前記他の端末に対し、前記発話権の開放を音声フレーズで通知するための音声データを送信する手順と、を実行させることを特徴とする。
上記目的を達成するために、本発明の第６の観点にかかるプログラムは、複数の端末間の半二重通信を実現するＰｏＣサービスにおいて、前記複数の端末間の通信の中継を制御する通話管理装置と通信ネットワークを介して接続される端末のコンピュータに、前記半二重通信の発話権を開放するための第１要求を前記通話管理装置に送信する手順と、前記発話権の開放を通知するための第２要求を前記通話管理装置に送信する手順と、を実行させることを特徴とする。
上記目的を達成するために、本発明の第７の観点にかかるプログラムは、複数の端末間の半二重通信を実現するＰｏＣサービスにおいて、前記複数の端末間の通信の中継を制御する通話管理装置と通信ネットワークを介して接続される端末のコンピュータに、前記半二重通信の発話権を占有する他の端末から送信された前記発話権の開放を通知するための要求に基づいて、前記通話管理装置が送信した前記発話権の開放を音声フレーズで通知するための音声データを受信する手順と、前記受信した音声データを発声する手順と、を実行させることを特徴とする。